(57)【要約】【課題】            窓の設置の容易化を図るとともにコーキング施工を必要としない窓枠構造を提供する。また、優れた断熱性および遮音効果を有する窓枠構造を提供する。【解決手段】        障子を構成する枠材および額縁枠材を合成樹脂製とし、それぞれ内部に空洞を形成し、前記枠材と額縁枠材とがその間に係合空洞を介して一体化され、前記額縁枠材の室外側の外側端に建物外壁への密着部が形成されてなる。好ましくは、前記枠材および額縁枠材の内部の空間層に金属補強材を設ける。【選択図】          図１
2019131968.tif 000002
【特許請求の範囲】
【請求項１】
障子を構成するガラスの周囲に取付けられた内部に空洞を形成した合成樹脂製の枠材と、該枠材の外側に係合される内部に空洞を形成した合成樹脂製の額縁枠材とからなり、該額縁枠材と前記枠材とがその間に係合空洞を形成して一体化され、前記額縁枠材の室外側の外側端に建物外壁への密着部を形成したことを特徴とする窓枠構造。
【請求項２】
前記障子を構成する合成樹脂製の枠材および前記額縁枠材の内部の空洞に金属補強材を設けたことを特徴とする請求項１に記載の窓枠構造。
【請求項３】
前記合成樹脂製の額縁枠材の室外側の外側端に形成した建物外壁への密着部がゴム合成樹脂等の密着材であることを特徴とする請求項１又は２に記載の窓枠構造。
【発明の詳細な説明】
【技術分野】
【０００１】
本発明は、窓枠構造に関する。
【背景技術】
【０００２】
従来、窓の取付けは、防水および気密性を維持するために、図３に示すように建物２０の外壁２１と窓２２を構成する窓枠２３との交差部にコーキング材２４を充填している。しかし、コーキング材２４が外部に露出していると美観を損ねるとともに時間の経過とともにコーキング材が劣化して防水及び気密効果が損なわれるという問題が残されていた。
【０００３】
そこで、外壁パネルが取付けられた外壁面の開口部にサッシが装着された建物において、開口部の上辺、下辺および左右両辺にそれぞれ取付けた上額縁、下額縁および縦額縁からなる化粧額縁を備え、該上下および左右の各化粧額縁により、前記開口部周辺の外壁パネル端部を建物外側から覆うことを特徴とする開口部周辺構造が提案されている（特許文献１）。
【先行技術文献】
【特許文献】
【０００４】
【特許文献１】特開２００１−３１７２７１公報
【発明の概要】
【発明が解決しようとする課題】
【０００５】
前記提案では、建物の内部とサッシ、サッシと化粧額縁および化粧額縁と外壁パネルとをそれぞれ固定する必要があるなど、サッシおよび化粧額縁の取付けに手数を要するという問題があった。
【０００６】
本発明は、前記事情に鑑み、障子と、その外側に係合される額縁枠材を予め一体化し、窓の設置の容易化を図るとともにコーキング施工を必要としない美観に優れた窓枠構造を提供することを目的とする。
【０００７】
また、障子を構成する枠材および額縁枠材を合成樹脂製として内部に空洞を形成することにより、優れた断熱性および遮音効果を有する窓枠構造を提供することを目的とする。
【課題を解決するための手段】
【０００８】
前述した目的を達成するため本発明は、障子を構成するガラスの周囲に取付けられた内部に空洞を形成した合成樹脂製の枠材と、該枠材の外側に係合される内部に空洞を形成した合成樹脂製の額縁枠材とからなり、該額縁枠材と前記枠材がその間に係合空洞を形成して一体化され、前記額縁枠材の室外側の外側端に建物外壁への密着部を形成したことを特徴とする（請求項１）。
【０００９】
本発明によれば、前記障子を形成する枠材と該枠材の外側に係合される額縁枠材が予め一体に形成されるため窓の設置が容易である。また、前記障子を形成する枠材と該枠材の外側に係合される額縁枠材が合成樹脂製とされていることおよびそれぞれ内部に空洞が形成されていること、さらには、前記額縁枠材と枠材がその間に係合空洞を形成して一体化されることにより、優れた断熱性と遮音効果を得ることができる。
【００１０】
さらにまた、前記額縁枠材の室外側の外側端に建物外壁への密着部を形成したことによりコーキング施工が不要である。
【００１１】
本発明の実施の一形態は、前記障子を構成する枠材および前記額縁枠材の内部の空洞に金属補強材を設けたことを特徴とする（請求項２）。この、実施の一形態によれば、前記合成樹脂製の枠材および額縁枠材の強度が向上させられて台風、雨等の強い力が加わっても変形を生じることがない。
【００１２】
本発明の実施の一形態は、前記額縁枠材の室外側の外側端に形成した建物外壁への密着部がゴム・合成樹脂等の密着材であることを特徴とする（請求項３）。この実施の一形態によれば、従来のコーキング施工が不要である。
【発明の効果】
【００１３】
本発明によれば、窓の設置が容易であり、コーキング施工を必要しない美観に優れた窓枠構造を提供することができる。また、優れた断熱性および遮音効果を有する窓枠構造を提供することができる。
【図面の簡単な説明】
【００１４】
【図１】本発明の窓枠構造を示す横断面図である。
【図２】本発明の窓枠構造の他の実施例を示す横断面図である。
【図３】従来の窓構造を示す横断面図である。
【発明を実施するための形態】
【００１５】
以下、本発明の実施の一実施例を説明する。
【００１６】
図１は窓部の横断面図である。なお、窓部の縦断面図も同様である。
本発明の窓枠構造は、障子Ａを構成するガラス１の周囲に取付けられる枠材２と、該枠材２の外側に係合される額縁枠材Ｂによって構成される。なお、図面では、ガラス１は三層になっている。
【００１７】
前記枠材２は、ポリ塩化ビニール（ＰＶＣ）、その他の合成樹脂によって形成され、その一端部には前記ガラス１の挿入固定部３が形成される。また、他端部には前記額縁枠材Ｂの係合部４が形成される。
【００１８】
さらに、前記枠材２には、その長手方向の内部に空洞５が形成される。そして該空洞５に金属補強材６が嵌挿される。該金属補強材６は図面実施例では断面Ｌ状に形成されているがその形状および素材は問わない。
【００１９】
つぎに、前記額縁枠材Ｂについて説明する。該額縁枠材Ｂは、前記枠材２と同様にポリ塩化ビニール、その他の合成樹脂で形成され、その一端部に前記枠材２との係合部７が形成され、他端部が建物の開口部への固定部８とされる。
【００２０】
さらに、前記額縁枠材Ｂには、その長手方向の内部に空洞９が形成される。そして該空洞９に金属補強材１０が嵌挿される。該金属補強材１０は図面実施例では筒状に形成されているがその形状および素材は問わない。
【００２１】
さらに、前記額縁枠材Ｂの室外側の外側端に建物外壁への密着部１１が形成される。該密着部はゴム・合成樹脂等の密着材とされて前記額縁枠材Ｂと建物外壁間に挟持密着させられる。
【００２２】
本発明では、さらに前記枠材２と額縁枠材Ｂとがその間に係合空洞１２を形成して一体化される。図中、１３はそれぞれゴム・合成樹脂等の気密材である。
【００２３】
以上、前記図１に基づいて窓部の横断面について説明したが、図１は窓部の縦断面図も同様である。
【００２４】
具体的には、前記枠材２と額縁枠材Ｂとからなる両側窓枠、上辺窓枠および下辺窓枠が準備され、それぞれの端部を４５度に傾斜カットして接合して窓が構成される。
【００２５】
前記構成の本発明によれば、設置が容易であり、コーキング施工が不要であり、美観、断熱性及び遮音性に優れた窓を提供することができる。
【００２６】
図２は、本発明の窓枠構造の他の実施例を示す横断面図である。同図は左側のＡ２が固定され、右側の障子Ａ１を内部（矢印Ｙ）の方向に開閉自在とした実施例である。図中、１４は外壁、１５は取っ手である。なお、その他の符号は前記図１と同一部分に同一符号を付している。
【００２７】
本発明の窓枠構造によれば、要望に合わせて必要とする設置個所に容易に設置することができる。
【符号の説明】
【００２８】
Ａ    障子
Ｂ    額縁枠材
２    枠材
５    空洞
６    金属補強材
９    空洞
１０  金属補強材
１１  建物外壁への密着部
１２  係合空洞
【図１】
2019131968.tif 000003
【図２】
2019131968.tif 000004
【図３】
2019131968.tif 000005